(57)【要約】【課題】この発明は、メダル貯蔵部からのメダルの排出に際して、メダル貯蔵部の内周面に沿って排出口に導かれるメダルの不安定な動きを解消して、メダル詰りのない安定した排出動作が得られるメダル排出装置および遊技機を提供することを目的とする。【解決手段】この発明は、横倒筒状体の一端を閉鎖状に形成し、他端に投入口を形成し、側部にメダルの排出口を形成したメダル貯蔵部の内周面下部に、周方向に沿ってメダル直径より短い広幅のメダル変動抑制用の内周溝を形成したメダル排出装置であることを特徴とする。【選択図】　図９
2004135906.tif 000002
【特許請求の範囲】
【請求項１】
横倒筒状体の一端を閉鎖状に形成し、他端に投入口を形成し、側部にメダル１枚出し用の排出口を形成したメダル貯蔵部と、該メダル貯蔵部の内周面に沿って回転する回転片を形成した回転体とを有し、
前記回転片に、前記メダル貯蔵部内で倒れたメダルの縁部と当接し、これを前記メダル貯蔵部の内周面に沿って押上げる押上辺を形成し、
前記排出口に前記回転片が近づいたとき、メダルを前記横倒筒状体の略軸心方向に押出す係止辺を、前記押上辺と対向して鋭角に立体交差するように形成し、
前記メダル貯蔵部の内周面下部に、周方向に沿ってメダル直径より短い広幅のメダル変動抑制用の内周溝を形成した
メダル排出装置。
【請求項２】
前記排出口側の直径の方が大きいテーパ状の横倒筒状体を備えたメダル貯蔵部を設け、該メダル貯蔵部の排出口側に前記内周溝を寄せて形成した
請求項１記載のメダル排出装置。
【請求項３】
メダルを投入して遊技を行う遊技機であって、
一括して投入された複数枚のメダルを１枚ずつ排出口より排出する
請求項１または２記載のメダル排出装置を備えた遊技機。
【発明の詳細な説明】
【０００１】
【発明の属する技術分野】
この発明は、例えば遊技ホールに設置されたスロットマシンに内蔵されるようなメダル排出装置に関し、さらに詳しくは一括して投入された複数枚のメダル（コイン）を１枚ずつ分離して後段に安定して排出する高排出性能を有するメダル排出装置および遊技機に関する。
【０００２】
【従来の技術】
近年、スロットマシンなどの遊技機は、遊技利用性を高めるために複数枚のメダルを一括投入可能にした遊技機が知られている（例えば特許文献１参照。）。
【０００３】
この一括投入されたメダルを遊技機の内部で１枚ずつ取出して後段に排出する現状のメダル排出装置としては、凹状の立設ドラムの底部に、該ドラムの内周面に沿って回転する回転体を備え、メダル１枚分の幅と高さ分だけ前記回転体の円周部を段下げし、その段下げした部分にメダルの厚さ程度の高さを有するピンを円周近傍に沿って複数配設し、前記立設ドラム内に貯蔵したメダルで最下層にあるものを前記ピンの間に挟んで回転体を回転させ、その円周上に開口する排出口から１枚ずつ送り出している。
【０００４】
【特許文献１】
特開２０００−２７９５７５号公報。
【０００５】
【発明が解決しようとする課題】
ところが、このようなメダル排出装置では、回転体の円周上に複数枚のメダルを平面的に並べて回転させる構造のため、メダルを複数枚並べることが可能な大きさの直径を持つドラムが必要となって、遊技機のメダル投入口近辺の限られた内部空間に取付けるには困難であった。また、上から投入されたメダルを底から排出する構造のため、メダル負荷による悪影響を受けてメダル詰りが生じやすいという問題があった。
【０００６】
このため、横倒筒状体の内部をメダル貯蔵部に設定し、このメダル貯蔵部の内周を周回する回転体の押上げ作用により、メダルを１枚ずつ円周上の排出口に送り出すメダル排出装置が存在する（例えば、先行出願の特願２００１−２３８７１４参照）。
【０００７】
この場合、図１２（Ａ）および図１２（Ｂ）に示すように、排出口１２１の開口方向と同方向に送り出されるメダル１２２は、バランスを崩したまま排出口１２１へと導かれることがあり、メダル詰りを起すことがある。
【０００８】
この際、メダル１２２はメダル貯蔵部１２３の内周面に対応したとき、周方向の円弧面に対し、メダルは平面的であり、この平面的なメダル１２２の前後端部が接し、中央部下面の全体は非接触状態にあって、前後の２点１２４ａ，１２４ｂで支持される。このため、図１３（Ａ）および図１３（Ｂ）に示すように、メダル貯蔵部１２３内でメダル１２２はバランスを崩しやすい不安定な状態にあり、この不安定な状態のまま排出口に導かれたときにメダル詰りが発生することがあった。このメダル詰りが発生したときは、メダルの排出が不能になり、スロットマシンがダウンする。この場合はホール係員が故障したスロットマシンの内部を開けて、メダル詰りを解除するメンテナンス作業を要してスロットマシンの稼動率が下がり、遊技が中断される遊技者に対しては不快感を与えてしまう問題を有していた。
【０００９】
そこでこの発明は、メダル貯蔵部からメダルを１枚ずつ排出する際、メダル貯蔵部の内周面に沿って排出口に導かれるメダルの不安定な動きを解消して、メダル詰りのない安定したメダル排出動作が得られるメダル排出装置および遊技機を提供することを目的とする。
【００１０】
【課題を解決するための手段】
この発明は、横倒筒状体の一端を閉鎖状に形成し、他端に投入口を形成し、側部にメダル１枚出し用の排出口を形成したメダル貯蔵部と、前記メダル貯蔵部の内周面に沿って回転する回転片を形成した回転体とを有し、前記回転片に、前記メダル貯蔵部内で倒れたメダルの縁部と当接し、これを前記メダル貯蔵部の内周面に沿って押上げる押上辺を形成し、前記排出口に前記回転片が近づいたとき、メダルを前記横倒筒状体の略軸心方向に押出す係止辺を、前記押上辺と対向して鋭角に立体交差するように形成し、前記メダル貯蔵部の内周面下部に、周方向に沿ってメダル直径より短い広幅のメダル変動抑制用の内周溝を形成したメダル排出装置であることを特徴とする。
【００１１】
ここでメダルとは、遊技利用されるメダルのほか、流通硬貨（コイン）等も含む。
【００１２】
前記排出口とは、メダルを１枚分だけ通過許容する細長く開口した開口空間を確保して構成することができる。
【００１３】
前記メダル貯蔵部とは、複数枚のメダルを貯蔵可能な内部スペースを有する横倒筒状体で構成することができる。
【００１４】
前記押上辺および係止辺は、直線状でも曲線状でもよく、これらを有する部材で構成することができる。これら両辺でメダルを径方向に１枚挟んで、その合力で鋭角の開放方向（横倒筒状体の略軸心方向）に対向する排出口へと排出する。
【００１５】
このうち、押上辺はメダルをメダル貯蔵部の内側面に沿って押上げるとともに、他のメダルを撹拌してメダル貯蔵部の内部でフラットにし、メダル貯蔵部の径方向の立姿になることを防止する。このため、メダルの排出に適した貯蔵状態になるほか、該メダル排出装置を小型化して小さい空間に取付けることができ、またメダル貯蔵位置から排出口までの距離（メダル押上げ長さ）が短くなるためメダルの高速排出化が図れる。
【００１６】
前記内周溝とは、メダル貯蔵部に投入されるメダルの直径より短い広幅の溝であり、浅溝で構成することができる。また、溝幅をメダルの直径より短くすることにより該溝内にメダルが入らないようにし、さらに広幅に設けることによりメダル貯蔵部の周方向円弧面にメダルが平面対応したときに、該メダル押上げ方向の前後端部が、溝内の凹状空間部に入って接触しないためメダルは２点支持構成ではなく、内周溝の平行する両肩部にメダルが載って、両肩の前後位置の４点で支持された４点支持構成の安定した状態にある。
【００１７】
このため、メダルの排出時に、メダル貯蔵部の内周面に沿って排出口に導かれるメダルが平面形状を有して周方向円弧面にそぐわなくても、該メダルを排出口へと安定させて移動させることができるメダル変動抑制機能を働かせることができ、メダルのバランスが崩れない周方向への安定した移動が得られる。
【００１８】
この発明の構成によれば、メダルの１枚出しに適した変動のない安定した送り動作を受けながら排出口の部分にメダルが導かれるため、メダル詰りのない円滑な排出動作が得られる。
【００１９】
このようにメダル貯蔵部に投入されたメダルが排出口に至るまでの押上げ過程で不安定なメダルの動きを抑制できるため、メダル詰りの発生要素を確実に排除でき、排出口でのメダル詰りを未然に回避できる。このため、メダル詰りを解消してメダルを１枚ずつ排出口より安定して送り出すことができる。
【００２０】
また、ダウンする恐れがないため係員が、いちいちメダル排出装置の内部を開けてメダル詰りを解除するような手間の掛かるメンテナンス作業も削減でき、１枚出し性能に優れた信頼性の高いメダル排出性能が得られる。
【００２１】
この発明の他の実施の形態として、排出口側の直径の方が大きいテーパ状の横倒筒状体を備えたメダル貯蔵部を設け、該メダル貯蔵部の排出口側に内周溝を寄せて形成したことを特徴とする。
【００２２】
上述のメダル貯蔵部を、メダル排出口側の直径が大きいテーパ状に形成することにより、メダル排出口側の底部がさらに下に下がり、前記押上辺で押上げられるメダルは重力で排出口側に寄せられ、メダルが排出口から容易に出るようになり、排出効率が高まる。また、テーパ状にすることにより、メダル貯蔵部（横倒筒状体）内でのメダルが倒れ易くなるためメダルが立ったままの状態で横倒筒状体内に残ることがない。
【００２３】
さらに、メダル貯蔵部内において、排出口側に内周溝を寄せることにより、テーパ面の回転接触作用を受けて排出口側に寄せられたメダルは内周溝に沿って排出口へと自然に排出できるため、排出口側に内周溝を近づけて設けるのが適している。
【００２４】
また、メダル排出装置をスロットマシン等の遊技機に適用した場合は、その遊技機の稼動率を向上させることができ、また遊技者に対しては不快な思いをさせずに済み、快適な遊技利用を促進することができる。
【００２５】
【発明の実施の形態】
この発明の一実施の形態を以下図面に基づいて説明する。
【００２６】
図１は遊技ホールに設置されるスロットマシン１を示し、このスロットマシン１は、前面中央に遊技中に操作する操作スイッチ５ｂを３つ並設しており、その左側に駆動レバー５ａを備えている。
【００２７】
スロットマシン１の前面中央右側には、遊技利用されるメダルＭを３０枚程度受入れる容器状の投入口２を備えており、その右横には返却ボタン３を隣設している。
【００２８】
スロットマシン１の下部中央に返却口７を設け、例えば遊技者が返却ボタン３を押下した場合に、返却口７からメダルＭが返却される。
【００２９】
図２はスロットマシン１の前面扉１ａを片開き式に開口した扉の内面状態を示し、この開口されたスロットマシン本体１ｂ側の上部には回転して遊技を行うリール１６を備え、下部にはメダル取込み用のホッパ１７と、メダル返却通路（図示せず）と、電源装置８とを備えている。
【００３０】
一方、前面扉１ａの内面側には、上部より前記リール１６を可視状にカバーするリールカバー１５、メダルの適否を選別して正規の大きさのメダルを内部に取込み、不適な大きさのメダル類を外部の返却口７に返却するメダルセレクタ１９、メダルＭを返却する返却口７を配設し、前記メダルセレクタ１９の前段（図中左側）にメダルＭを１枚ずつ排出するメダル排出装置３１を配設している。
【００３１】
このような構成により、上述の投入口２から一度に投入された複数枚のメダルを、１枚出し用のメダル排出装置３１に導いて、これより１枚ずつメダルセレクタ１９に送り出して正規サイズのメダルを認識し、駆動レバー５ａおよび操作スイッチ５ｂの操作による遊技を許容している。
【００３２】
図３はスロットマシン１の制御回路ブロック図を示し、制御部２０は、演算処理、制御処理を実行するＣＰＵ２１、各処理を行わせるための制御プログラムを格納し、書き換え不可能な不揮発性のＲＯＭ２２、制御動作に必要なデータを記録する揮発性のＲＡＭ２３、管理装置（図示せず）や台間機（図示せず）との送受信を許容する通信インターフェース２４を備えて構成する。
【００３３】
この制御部２０に接続して、電源装置８、リール１６（図２）の駆動系である遊技駆動装置４、遊技の操作系である遊技操作装置５、およびメダル計数装置６を設ける。
【００３４】
上述の各装置の動作について説明すると、電源装置８は、外部から供給される電力を動作電力に変換し、上述の各装置に供給する。
遊技駆動装置４は、前記リール１６を前記制御部２０の制御に基づいて駆動する。
【００３５】
遊技操作装置５は、遊技者が前記駆動レバー５ａおよび操作スイッチ５ｂを操作することで、リール１６の回転開始や回転停止等の遊技信号を前記制御部２０に出力する。
【００３６】
メダル計数装置６は、メダルセレクタ１９で選別された正規サイズのメダルを計数し、その計数信号を制御部２０に出力する。
【００３７】
以上の構造および各動作より、スロットマシン１は、投入口２に投入されたメダルＭのうちメダルセレクタ１９で選別した正規サイズのメダルＭをメダル計数装置６で計数し、その計数値にしたがって制御部２０で制御して遊技駆動装置４によるリール１６の駆動、および遊技操作装置５によるリール１６の停止を実行して、遊技許容している。
【００３８】
次に、メダル排出装置３１の構成について説明する。
図４はメダル排出装置３１の分解図を表しており、メダルを一時貯蔵するメダル貯蔵部４０、回転してメダルを押上げる回転体５０、前記メダル貯蔵部４０の蓋とメダルの投入口と排出口を兼ねる蓋部６０、前記回転体５０を回転させる駆動源であるモータ７０、および該モータ７０の駆動力を前記回転体５０に伝達する動力伝達部８０で構成する。
【００３９】
前記メダル貯蔵部４０は、略水平状態に倒した筒状の部材の前面を大径のテーパ状に形成した横倒筒状体４１を備え、その背面を縦長の略長方形の板状に形成した裏蓋４２の上部で閉鎖する。該裏蓋４２の上部中央には回転体５０の軸穴４２ａを設け、下部中央にはモータ軸穴４２ｂを設ける。
【００４０】
前記メダル貯蔵部４０の左横側面には、メダルを略前面方向へ排出するメダル排出部４３を設ける。該メダル排出部４３は上部に斜面状の係止辺４３ａを設け、下方から押上げられるメダルの上部を係止するのであるが、詳細については後述する。
【００４１】
前記回転体５０は、背面に形成した円盤状の背面体５１と、その円周上に略垂直に４つ配設したメダル１枚分程度の厚みを有する板状の回転羽５２と、該回転羽５２の前面側先端に前記背面体５１に対向して備えた略リング状の脱出防止リング５３およびその脱出防止辺５３ａと、背面体５１の中心に突設した回転軸５４とで構成する。この場合、背面体５１がメダル貯蔵部４０の奥部を閉鎖する部材となる。
【００４２】
前記回転軸５４の背面突出部分をメダル貯蔵部４０の軸穴４２ａに挿入し、この回転軸５４を中心に回転させると、背面体５１と脱出防止リング５３の外周、および回転羽５２は、横倒筒状体４１の内側面に沿って回転する。
【００４３】
前記蓋部６０は、正面視四角形の板部６１の上部中央に側面視三角形で上面を開口したメダル投入口６２を設け、板部６１の左側には左辺中央近辺から正面視右下へ切り込みを入れて、メダル１枚出し用に細長く開口するメダル排出溝６３を設ける。
【００４４】
またこの蓋部６０は、メダル貯蔵部４０に設けた横倒筒状体４１の正面開口部分を閉鎖するように取付け、メダル排出溝６３が前記メダル排出部４３とほぼ一致するようにする。
【００４５】
前記モータ７０は、背面側に突出する回転軸７１をメダル貯蔵部４０に設けたモータ軸穴４２ｂに回転可能に挿入し、裏蓋４２に固定する。
【００４６】
前記動力伝達部８０は、回転体５０に設けた回転軸５４に嵌め込む回転体側プーリ８１ａと、モータ７０に設けた回転軸７１に嵌め込むモータ側プーリ８１ｂ間をゴムベルト８２で張設して、駆動力を伝達可能に結合している。
【００４７】
このような各構成要素を結合して図５に示すメダル排出装置３１を構成する。メダル投入口６２から投入されたメダルＭは、回転軸５４で拡散されてメダル貯蔵部４０の内部に一時貯蔵される。このとき、モータ７０の回転力が動力伝達部８０を介して回転体５０に伝達され、この回転体５０が正面視時計回りに回転すると、回転羽５２が倒れているメダルＭ１を横倒筒状体４１の内側面に沿って押上げ、係止辺４３ａと回転羽５２でメダルＭを挟んで、その合力で横倒筒状体４１の略軸心方向に対向するメダル排出溝６３からメダルＭを１枚ずつ排出する。
【００４８】
このメダル排出溝６３から複数のメダル（Ｍ１およびＭ２）が重なった状態で排出されようとした場合には、脱出防止辺５３ａで横倒筒状体４１の内側にあるメダルＭ２が抜け出すのを防止し、横倒筒状体４１内で最も外側にあるメダルＭ１だけを排出する。
【００４９】
次に、図６に示した制御回路ブロック図を参照してメダル排出装置３１の排出制御動作について説明する。
【００５０】
モータ７０は、電源装置８から切替え装置３３を介して電源の供給を受け、回転運動を実行する。
【００５１】
切替え装置３３は、電源装置８から供給される電源の正負を切替える装置であり、制御部２０の制御信号にしたがってモータ７０に供給する電源の正負を切替える。
【００５２】
電流検知装置３４は、モータ７０の電流を監視しており、過電流を検出すると制御部２０に検知信号を送信する。
【００５３】
電源装置８と制御部２０については、図３において説明した動作と同一であるため詳細な説明を省略する。
【００５４】
以上の構造により、モータ７０は電源装置８から電源供給を受けて回転運動を実行し、これにより回転体５０を回転させ、メダルＭをメダル排出部４３の係止辺４３ａと回転体５０の回転羽５２との上下の対向面間で挟んで、その合力でメダルＭをメダル排出溝６３から排出させる。メダルＭが詰まった場合には、電流検知装置３４で過電流を検知して制御部２０で切替え装置３３に電源の正負を切替えさせ、モータ７０を逆回転してメダル詰りを解除可能に設けている。
【００５５】
次に、メダルＭを回転羽５２と係止辺４３ａとで挟んで、その合力で排出する動作について、図７（Ａ）〜図７（Ｄ）を参照して説明する。
【００５６】
メダル貯蔵部４０の横倒筒状体４１の内側面に沿って倒れているメダルＭを、回転体５０の回転羽５２で時計回りに押上げると、図７（Ａ）に示すように、押上げられたメダルＭの上部はメダル排出部４３の係止辺４３ａに当たる。
【００５７】
さらに、回転羽５２を回転させると、図７（Ｂ）に示すように、係止辺４３ａから受ける垂直抗力Ｍｂと回転羽５２から受ける垂直抗力Ｍａとの合力Ｍｃにより、メダルＭはメダル排出溝６３と対応する前方（図の左側）へと押出される。
【００５８】
この回転羽５２の回転にしたがってメダルＭは、図７（Ｃ）に示すように、押上げ方向と略直角に押出され、その後、図７（Ｄ）に示すように、前方へ押出されて行き、図４および図５に示すメダル排出溝６３を通過して排出される。
【００５９】
この場合、メダルＭを押上げる回転羽５２の押上辺５２ａは、メダルＭの厚さより僅かに薄く形成し、その側面に傾斜面５２ｂを形成することで、回転羽５２を必要な強度を有する厚さに形成したうえで、メダルＭを１枚だけ押上げるようにしている。
【００６０】
このような構成により、一括投入された複数枚のメダルを１枚ずつ分離して高速排出することができ、メダル排出装置３１を小型化して小さい空間に取付けることができる。また押上辺５２ａは、メダルＭをメダル貯蔵部４０の内側面に沿って押上げると共に、他のメダルを撹拌してメダル貯蔵部４０の内部でフラットにし、メダル貯蔵部４０の半径方向で立姿になることを防止している。
【００６１】
このため、遊技者によって手づかみで投入口２（図１）に投入された数十枚のメダルを、メダル排出装置３１で１枚ずつメダルセレクタ１９に送り出すことができ、遊技者が１枚ずつメダルを投入する必要がなくなる。
【００６２】
また、上述のメダル排出装置３１において、メダル貯蔵部４０はメダル排出側が大径となるテーパ状に形成するのが適している。これにより、メダル排出側の底部が下に下がり、押上辺５２ａで押上げられるメダルＭは重力で排出側に寄せられ、メダルＭがメダル排出溝６３から容易に出るようになり、排出効率が高まる。また、テーパ状にすることでメダルが倒れ易くなるため、メダルが立ったままの状態で横倒筒状体内に残ることがない。
【００６３】
図８はメダル排出装置３１の外観図を示し、このメダル排出装置３１の正面側にメダル１枚出し用のメダル排出溝６３を備えており、このメダル排出溝６３は細長い開口部をメダルの排出に適した角度に傾けて設けている。
【００６４】
このメダル排出溝６３と連通する内方のメダル貯蔵部４０の内周面には、図９および図１０に示すように、メダルの変動を抑制してメダル排出溝６３に安定して送り出しガイドするための内周溝９１を備えて、メダルＭの円滑な排出動作を促進している。
【００６５】
上述の内周溝９１は、メダル貯蔵部４０の内周面周方向に溝幅はメダルＭの直径より短い間隔の広幅で溝深さは浅溝に形成している。
【００６６】
この場合、溝幅ＷをメダルＭの直径より短くすることにより該溝９１内にメダルＭが入らないようにし、さらに広幅に設けることによりメダル貯蔵部４０の周方向円弧面９２にメダルＭが平面対応したときに、図１１に示すように、メダル押上げ方向９３のメダルＭの前後端部Ｍａ，Ｍｂが、該溝９１内の凹状空間部９４に入って接触しないためメダルＭは、内周溝９１の平行する両肩部９５，９６にメダルＭが載って、両肩部９５，９６に接触対応した前後位置の４点支持位置９１ａ，９１ｂ，９１ｃ，９１ｄで支持された４点支持構成の安定した状態にある。
【００６７】
したがって、メダルＭの排出時には排出予備処理としてメダルを内周溝９１に対応させることにより４点の安定した接触対応状態でメダル排出溝６３へと導くことができ、排出前段階でのメダルＭの変動を抑制した周方向円弧面に沿うメダル変動抑制作用が得られる。
【００６８】
また、メダル押上げ方向９３のメダルＭの前後端部Ｍａ，Ｍｂが、該溝９１内の凹状空間部９４に入る如く対応したときに接触しない程度の浅溝に形成する。
【００６９】
また、内周溝９１はメダル貯蔵部４０内において、その幅方向に対し、メダル排出溝６３側に寄せて形成する。この内周溝９１をメダル排出溝６３側に寄せることにより、メダル排出時に、メダル変動抑制用に送出しガイドする内周溝９１に沿ってメダル排出溝６３へと自然にメダルＭを排出できるため、メダル排出溝６３側に内周溝９１を近づけて設けるのが適している。
【００７０】
またこの場合、メダル貯蔵部４０はメダル排出側が大径となるテーパ状であるため、排出側の閉鎖端面に位置する蓋体６０の板部６１内面を、内周溝９１の配置基準位置Ｌに設けている。
【００７１】
これにより、メダル貯蔵部４０で撹拌されたメダルＭの周縁端部が蓋体６０の板部６１の内面に当接したとき、メダルＭの中心位置が内周溝９１の幅方向中心位置に対応するため、排出前のメダルＭは内周溝９１と対応する。このため、メダルＭは排出時に内周溝９１に沿って押上げられ、メダル排出溝６３の直前で押上辺５２ａと係止辺４３ａとの合力を受けて排出される。
【００７２】
このため、メダルの排出時に、メダル貯蔵部４０の内周面に沿ってメダル排出溝６３に導かれるメダルＭが平面形状を有して周方向の円弧面にそぐわなくても、該メダルＭをメダル排出溝６３へと安定させて移動させることができ、メダルのバランスが崩れない周方向への安定した移動が得られる。したがって、メダルの１枚出しに適した変動のないメダル変動抑制機能を働かせた安定した送り動作ができる。このため、メダル排出時にはメダル詰りのない円滑な排出ができる。
【００７３】
このようなメダル排出装置３１のメダル１枚出し処理動作を次に説明する。
【００７４】
今、スロットマシン１の投入口２にプレーヤが複数枚のメダルＭを一括投入すると、一括投入された複数枚のメダルＭは内方のメダル貯蔵部４０へと供給され、ここでメダルＭは回転体５０の回転作用を受けながら撹拌され、この回転時にメダルＭはテーパ形状を有する横倒筒状体４１の低位側へと順に送られ、この低位側に相当する排出側の内周溝９１に沿って押上げられる。
【００７５】
このとき、メダルＭは、図９に示すように、端縁部が板部６１の内面（配置基準位置Ｌ）に接しながら内周溝９１に沿って押上げられ、内周溝９１の平行する両肩部９５，９６にメダルＭが載り、両肩部９５，９６の前後位置の４点支持位置９１ａ，９１ｂ，９１ｃ，９１ｄで支持された４点支持構成の安定した状態で摺接移動しながら押上げられる。
【００７６】
このように安定して押上げられたメダルＭは、係止辺４２ａと押上辺５２ａとで挟まれてメダル排出溝６３に押出されて排出される。この内周溝９１とメダルＭとの対応時に、メダルＭがメダル排出溝６３に至るまでに仮にメダルの端縁が一部溝９１内に入って傾いても浅溝のため大きく傾かず、そのときはメダル貯蔵部４０内で１回転して次回の払出しに備えられる。
【００７７】
上述のように、メダルの１枚出しに適した変動のない安定した送り動作を受けながらメダル排出溝の部分にメダルが導かれるため、メダル詰りのない円滑な排出動作が得られる。ことに、メダル貯蔵部に投入されたメダルがメダル排出溝に至るまでの押上げ過程でメダルのバランスが崩れない周方向の安定した移動が得られるため、メダル詰りの発生要素を確実に排除でき、メダル排出溝でのメダル詰りを未然に回避でき、メダルを１枚ずつメダル排出溝より安定して送り出すことができる。また、ダウンする恐れがないため係員が、いちいちメダル排出装置の内部を開けてメダル詰りを解除するような手間の掛かるメンテナンス作業も削減でき、１枚出し性能に優れた信頼性の高いメダル排出性能が得られる。
【００７８】
この発明の構成と、上述の一実施の形態の構成との対応において、
この発明の遊技機は、実施の形態のスロットマシン１に対応し、
以下同様に、
排出口は、メダル排出溝６３に対応し、
回転片は、回転羽５２に対応し、
投入口は、メダル投入口６２に対応するも、
この発明は、請求項に示される技術思想に基づいて応用することができ、上述の一実施の形態の構成のみに限定されることなく、多くの実施の形態を得ることができる。例えば、メダル排出装置３１はスロットマシンに限らず、メダルを投入して遊技を行う各種遊技機に適用することができ、メダルを使用する装置であれば備え付けることができる。
【００７９】
【発明の効果】
この発明によれば、メダル貯蔵部に投入されたメダルが排出口に至るまでの押上げ過程で不安定なメダルの動きを抑制できるため、メダル詰りの発生要素を確実に排除でき、排出口でのメダル詰りを未然に回避できる。このため、メダル詰りを解消してメダルを１枚ずつ排出口より安定して送り出すことができる。また、ダウンする恐れがないため係員が、いちいちメダル排出装置の内部を開けてメダル詰りを解除するような手間の掛かるメンテナンス作業も削減でき、１枚出し性能に優れた信頼性の高いメダル排出性能が得られる。
【図面の簡単な説明】
【図１】スロットマシンの外観を示す斜視図。
【図２】スロットマシンの前面扉を開けた状態の正面図。
【図３】スロットマシンの制御回路ブロック図。
【図４】メダル排出装置の分解斜視図。
【図５】メダル排出装置の要部斜視図。
【図６】メダル排出装置の制御回路ブロック図。
【図７】メダル排出装置の動作説明図。
【図８】メダル排出装置の外観斜視図。
【図９】メダルと内周溝との対応状態を示すメダル貯蔵部の横断面図。
【図１０】メダルと内周溝との対応状態を示すメダル貯蔵部の側面図。
【図１１】メダルと内周溝との対応状態を示す拡大斜視図。
【図１２】従来のメダル貯蔵部のメダル貯蔵状態を示す説明図。
【図１３】従来のメダル貯蔵部でのメダルの支持状態を示す説明図。
【符号の説明】
１…スロットマシン
３１…メダル排出装置
４０…メダル貯蔵部
４１…横倒筒状体
５０…回転体
６３…メダル排出溝
９１…内周溝
Ｍ…メダル
【図１】
2004135906.tif 000003
【図２】
2004135906.tif 000004
【図３】
2004135906.tif 000005
【図４】
2004135906.tif 000006
【図５】
2004135906.tif 000007
【図６】
2004135906.tif 000008
【図７】
2004135906.tif 000009
【図８】
2004135906.tif 000010
【図９】
2004135906.tif 000011
【図１０】
2004135906.tif 000012
【図１１】
2004135906.tif 000013
【図１２】
2004135906.tif 000014
【図１３】
2004135906.tif 000015